(57)【要約】【課題】  映像蓄積配信装置をネットワーク環境に結合して動作させるまでには、細かな多くの設定を行なう必要があり、ネットワークの等を理解した者しか設定を行なえず、ユーザだけでなく、販売を行なっている営業の人や、保守を行なう人などにも同様であり、勉強をした人でないと設定ができないものとなってしまう。【解決手段】  映像蓄積配信装置の設定は必用最小限度に止め、設定必用な項目を順にユーザに提示してゆき、ユーザはその項目を設定するだけで映像蓄積配信装置の設定を完了し、動作するようになるものである。【選択図】  図１
2005210435.tif 000002
【特許請求の範囲】
【請求項１】
記録された映像を映像受信装置に配信する映像蓄積配信装置と、該映像蓄積配信装置から配信された映像を閲覧する映像閲覧装置とを備えた映像閲覧システムにおいて、
上記映像閲覧装置に上記映像蓄積配信装置の設定を必要最低限の項目だけ設定可能な設定画面を備え、上記映像閲覧装置から上記映像蓄積配信装置の設定を実行することを特徴とする映像閲覧システム。
【請求項２】
ネットワークを介して伝送されてくる監視映像を取得し、該取得した監視映像を記録し、該記録された映像を映像受信装置に配信する映像蓄積配信装置と、該映像蓄積配信装置から配信された映像を閲覧する映像閲覧装置とを備えた映像閲覧システムにおいて、
上記映像閲覧装置が、上記ネットワークを介して、上記映像蓄積配信装置の設定を必要最低限の項目だけ設定する設定画面を備えたことを特徴とする映像閲覧システム。
【発明の詳細な説明】
【技術分野】
【０００１】
本発明は、映像発信装置が取得した画像データを受信し、該受信した画像データを蓄積し、該蓄積された画像データを閲覧する映像蓄積配信装置及び映像閲覧システムに関わり、特にネットワークを介して、１または複数のユーザが閲覧するための映像閲覧システムに関する。
【背景技術】
【０００２】
カメラ等の撮像装置によって撮影された画像（動画像、静止画像、静止画像が時系列に連続した間欠的な準動画像等）を記録装置に記録しておき、ユーザがその記録された映像を閲覧するシステムがある。近年のネットワーク通信の発展により、特にネットワークを介して、ユーザがパーソナルコンピュータや PDA（携帯情報端末）等のクライアント側の装置で画面表示することができる映像閲覧システムがある（例えば、特許文献１参照。）。
【０００３】
このような映像閲覧システムは、種々な用途に利用されており、例えば、画像により侵入者の監視や管理対象物の異常監視等の監視システムとして利用されている。
監視システムは、ホテルやビル、コンビニエンスストア等の店舗や金融機関、あるいはダムや道路といった公共施設における犯罪抑止や事故防止等の目的で設置されている。これは、監視対象をカメラ等の撮像装置で撮影し、その映像を、管理事務所や警備室等の監視センタに伝送し、監視者がその映像によって監視を行い、目的や必要に応じて、注意や警告をしたり、あるいは映像を保存して蓄積するものである。
【０００４】
近年、こうした映像監視システムの分野において、監視カメラ等の撮像装置が取得した映像をデジタル化し、インターネットに代表される IP（ Internet Protocol ）ネットワークを介して、映像を伝送し、伝送された映像をパソコン（ Personal Computer ）等のネットワーク端末（クライアント端末）機器を使って監視するような、ネットワーク型映像監視システムの普及が進みつつある。
また、ネットワークで結合されたことにより、ネットワークを利用したシステムが、監視システムばかりではなく、結合されたネットワーク間で、それぞれ記録されたまたは提供される映像等の情報を取得するような映像閲覧システムが普及しつつある。
【０００５】
【特許文献１】特開２００３―２７４３８３号公報
【発明の開示】
【発明が解決しようとする課題】
【０００６】
従来の映像閲覧システムにおいて、映像蓄積配信装置をネットワーク環境に結合して動作させるまでには、細かな多くの設定を行なう必要がある。これでは、パソコン等のクライアント端末に映像を記録する原理やネットワークの原理等を理解した者しか設定を行うことができえず、それらを理解した者でなければ動作させることができないためである。このため、これらの映像蓄積配信装置あるいは映像閲覧システムを運用するユーザにとっては、それらの原理等を理解するために説明書を熟読し、説明書に記載のある単語の意味を理解するなど、大きな負担がかかることになる。
これらの問題は、ユーザだけでなく、販売を行なっている営業の人や、保守を行なう人などにも同様のことが言え、勉強して原理等を理解した者でないと設定ができない欠点があった。
本発明の目的は、上記のような欠点を除去し、パソコン等のクライアント端末に映像を記録する原理やネットワークの原理等を理解した者でなくても設定を行うことが可能な、映像蓄積配信装置の設定方法及び映像閲覧システムを提供することにある。
【課題を解決するための手段】
【０００７】
上記の目的を達成するために、本発明の映像閲覧システムは、映像蓄積配信装置の設定を必用最小限度に止め、設定必用な項目を順にユーザに提示してゆき、ユーザはその項目を設定するだけで映像蓄積配信装置の設定を完了することができるビギナーモードを提供し、映像蓄積配信装置及び映像閲覧システムが簡単に動作するようにしたものである。
【０００８】
このため、本発明の映像閲覧システムは、記録された映像を映像受信装置に配信する映像蓄積配信装置と、映像蓄積配信装置から配信された映像を閲覧する映像閲覧装置とを備えた映像閲覧システムにおいて、映像閲覧装置に映像蓄積配信装置の設定を必要最低限の項目だけ設定可能な設定画面を備え、映像閲覧装置から映像蓄積配信装置の設定を実行することを特徴とする。
また、本発明の映像閲覧システムは、ネットワークを介して伝送されてくる監視映像を取得し、取得した監視映像を記録し、記録された映像を映像受信装置に配信する映像蓄積配信装置と、映像蓄積配信装置から配信された映像を閲覧する映像閲覧装置とを備えた映像閲覧システムにおいて、映像閲覧装置が、ネットワークを介して、映像蓄積配信装置の設定を必要最低限の項目だけ設定する設定画面を備えたことを特徴とする。
【発明の効果】
【０００９】
本発明によれば、上記のようなビギナーモードを提供することで、ユーザの中でもパソコンやネットワークをよく知らない人でも設定を行なうことができるのと同時に、映像閲覧システムを販売する営業や保守を行なう人でも簡単、かつ迅速に設定できることができるようになり作業効率が改善される。
【発明を実施するための最良の形態】
【００１０】
現在、主流となっているネットワーク型映像監視システムは、監視カメラに接続された映像発信装置から映像受信装置に向けて、ネットワークを介してライブ映像を配信するものである。このようなシステムでは、常駐の監視者（ユーザ）は、常時この映像を視聴し、問題発生時には状況に応じた対応をする監視形態に適合したシステムとなっていることが多い。
一方で、映像監視には、上述のようなライブ映像監視を主体とする「ライブ型監視」の他に、監視映像を記録装置に蓄積し、問題発生時に時間を遡って蓄積された映像を見るような監視形態もあり、金融機関や商店を中心にこうした「記録型監視」の顧客ニーズが存在する。
同様に、監視映像だけでなく、記録装置に蓄積された映像（音声その他の細く情報を含む）を、ネットワークを介して閲覧する映像閲覧システムが普及しつつある。
【００１１】
このような映像閲覧システムは、監視映像やその他の映像情報を含み、映像監視システムへの適用や、映像監視システムをその中に含めた広いシステムへの適用ができるものである。
ネットワーク型映像閲覧システムには、こうした監視における「記録型監視」のニーズや、「映像閲覧」に対応可能な記録装置として画像蓄積配信サーバが存在する。
【００１２】
本発明の映像閲覧システムの一実施例を図１によって説明する。
図１は、本発明の一実施形態による映像閲覧方法及び映像閲覧システムが適用される画像蓄積配信システムの全体構成を示す図である。
ここに示した画像蓄積配信システムは、画像データ（音声データを含むものであっても良い）を蓄積するための記録装置（以下、ディスク装置という）3 を備えた画像蓄積配信サーバ 1 と、ネットワーク 4 を介して画像蓄積配信サーバ 1 に接続された複数の Web カメラ 5（ 5-1 〜 5-n ）及び複数のクライアント端末 6（ 6-1 〜 6-m ）とを有して構成されている。ここで、n 及び m は自然数であり、n と m とはシステム実施時またはシステム更新時に設定され、n は Web カメラ 5 の個数で、m はクライアント端末 6 の個数である。
Web カメラ 5-1 〜 5-n は、それぞれを固有のチャネル番号を有し、例えば、5-1 はチャネル 1（ CH1 ）用、5-2 はチャネル 2（ CH2 ）用、‥‥‥、5-n はチャネル n（ CHn ）用の Web カメラとする。ここで、n ＝ m である必要はない。ここで、画像データは、音声データを含むものであっても良い。
【００１３】
Web カメラ 5-1 〜 5-n による撮影映像の各フレームの画像データは、例えば、JPEG 等の画像圧縮方式で圧縮され、ネットワーク 4 を介して IP パケット形式で画像蓄積配信サーバ 1 に送信される。この場合、圧縮された画像データは、フレーム毎にデータ量の異なる可変長データとなる。画像蓄積配信サーバ 1 は、Web カメラ 5-1 〜 5-n からネットワーク 4 を介して受信した各パケットから圧縮画像データ（以下、単に画像データと言う）を抽出し、ディスク装置 3 に予め確保されたチャネル別（サイト別）の循環記録領域 30（ 30-1 〜 30-n ）に記録する。
【００１４】
各クライアント端末 6 は、画像蓄積配信サーバ 1 に対して、チャネル番号とフレーム番号を指定して画像データの配信を要求する。画像蓄積配信サーバ 1 は、クライアント端末からの要求に応じて、ディスク装置 3 から読出した指定チャネル番号／フレーム番号の画像データ、またはキャッシュメモリに蓄積中の最新の画像データを IP パケット形式で要求元のクライアント端末 6 に配信サービスする。
【００１５】
図１の実施形態では、Web カメラ 5 は JPEG 画像データを出力するカメラとし、画像蓄積配信サーバ 1 がいずれかの Web カメラ 5 に対して要求を送信すると、当該 Web カメラ 5 が１枚の JPEG 画像データを画像蓄積配信サーバ 1 へ送信するといったように、１つの要求がある毎に１フレームの JPEG 画像データが Web カメラ 5 から画像蓄積配信サーバ 1 へ送信されて蓄積されるようにしている。
また、図１の実施形態では、クライアント端末 6 への画像データ配信についても上記実施例と同様に、いずれかのクライアント端末 6 から１つの要求がある毎に画像蓄積配信サーバ 1 に蓄積されている１フレームの JPEG 画像データが画像蓄積配信サーバ 1 から当該クライアント端末 6 へ送信されるようにしている。
【００１６】
即ち、本実施形態では、要求がある毎に画像データを１フレームずつネットワーク 4 を介して通信する方法を採用しているが、要求がある毎に画像データを複数フレーム分（あるいは１ファイル分）通信するようにしても良い。また、本実施形態では、Web カメラ 5 から出力される画像データは間欠的に時系列に連続した準動画像であるが、本発明の別の実施形態では、例えば、Web カメラ 5 を MPEG 画像データを出力するカメラとして、要求がある毎に MPEG 形式の動画像データを所定の長さ分通信するようにしても良い。
尚、Web カメラ 5 から画像蓄積配信サーバ 1 が取得する１フレーム分の画像データのサイズは、画像画素数、圧縮指定値によって異なる。
【００１７】
画像蓄積配信サーバ 1 は、Web カメラ 5 からネットワーク 4 を介して画像データを取得する。
図２は、図１に示した画像蓄積配信サーバ 1 の一実施例を示すブロック構成図である。
画像蓄積配信サーバ 1 は、プロセッサ 10 と、プロセッサ 10 が実行する各種のプログラムを格納したプログラム格納メモリ 11 と、画像データのチャネル別の循環記録とクライアントへの配信サービスに必要な各種テーブルが形成されるテーブル格納メモリ 12 と、送受信画像フレームのバッファ領域および書込み／読出し画像データのキャッシュ領域として利用されるデータ格納メモリ 13 からなる。また、画像蓄積配信サーバ 1 には、ネットワーク 4 接続するためのネットワークインタフェース 14 と、ディスク装置 3 との接続インタフェースとなるディスクインタフェース 15 とが備えられている。
【００１８】
本実施例の画像蓄積配信サーバ 1 では、例えば、Web カメラからフレーム単位で受信される画像データをチャネル別キャッシュメモリ（以下、ディスク書込みキャッシュ領域と言う）に順次に蓄積しておき、例えばセクタサイズの整数倍のデータブロックに編集して、ブロック単位でディスク装置 3 への書込みを実行する。また同様に、クライアント端末 6 への画像データの読出しも、クライアント別キャッシュメモリ（以下、ディスク読出しキャッシュ領域と言う）に順次に蓄積しておき、例えばセクタサイズの整数倍のデータブロックに編集して、ブロック単位でディスク装置 3 からの読出しを実行する。
【００１９】
即ち、本実施例では、例えば、ディスク装置 3 に定義されるチャネル別の循環記録領域 30 を固定サイズの複数のメモリブロックに区分けしておき、先頭メモリブロックから順にブロック単位で画像データを書込み、最終ブロックへの画像データの書込みが終わると、次の画像データは先頭ブロックに書込むことによって、メモリ領域を循環的に利用した画像データ記録を実現する。ここで、循環記録領域 30 は、図１に示した複数の循環記録領域 30-1〜 30-n のうちの任意の１つを示している。
【００２０】
図３は、本発明の一実施形態の画像蓄積配信サーバ 1 において、画像データの書込みと読出しに関係する部分の機能ブロック図を示す。
本実施例では、データ格納メモリ 13 （図２参照）に、チャネル数 n と対応した複数の受信フレームバッファ 20（ 20-1 〜 20-n ）とディスク書込みキャッシュ 22（ 22-1 〜 22-n ）が形成される。即ち、チャネル番号 1 〜 n （ CH1 〜 CHn ）別に、受信フレームバッファ 20 とディスク書込みキャッシュ 22 とが形成される。また、上記データ格納メモリ 13 に、クライアント端末 6 の数 m と対応した複数の送信フレームバッファ 27（ 27-1 〜 27-m ）とディスク読出しキャッシュ 26（ 26-1 〜 26-m ）とが形成される。
【００２１】
Web カメラ 5 から送信された画像フレームパケットは、ネットワークインタフェース 14 で受信され、抽出された画像フレームが、チャネル番号と対応した受信フレームバッファ 20（ 20-1 〜 20-n ）に入力される。受信フレームバッファ 20 に入力された画像フレームは、チャネル番号と対応した受信スレッド 21（ 21-1 〜 21-n ）によって、ディスク書込みキャッシュ 22（ 22-1 〜 22-n ）に転送され、ディスク書込みキャッシュ領域にデータブロックとして形成される。
【００２２】
受信スレッド 21 の実体は、プログラム格納メモリ 11 に用意された受信画像フレーム処理用のプログラムである。本実施例では、チャネル対応の各ディスク書込みキャッシュ 22 が複数のキャッシュ領域で構成されている。各受信スレッドは、１つのキャッシュ領域でデータブロックの編集が完了すると、その後の受信フレームを別のキャッシュ領域で次のデータブロックを編集する。編集された各データブロックには、チャネル別にシーケンシャルなブロック番号が付与される。
【００２３】
120 は、管理テーブル用メモリ領域、121 は、管理テーブルが示す論理的なポインタ情報、またはチャネル番号とブロック番号とで特定されるメモリブロックのアドレスをディスクアドレスに変換するためのアドレス変換テーブルを示す。
各受信スレッド 21 は、１つのデータブロックが完成すると、チャネル番号と、ブロック番号と、そのデータブロックが位置しているキャッシュ領域の識別子と、そのデータブロックをディスク装置 3 内に格納する先を示すディスク装置 3 内のアドレス（以下、ディスクアドレスと言う）とを示す制御ブロックを生成し、これを書込み待ちブロックキュー 23 に登録する。チャネル番号とブロック番号から、ディスクアドレスへの変換を行うためのアドレス変換テーブル 121 が用意されている。また、各受信スレッド 21 は、完成したデータブックが持つヘッダ（図示しない）の内容をフレーム目次テーブル（図示しない）に格納する。
【００２４】
フレーム目次テーブルは、チャネル番号別の複数のテーブルからなり、ヘッダの内容は、チャネル対応の循環記録領域 30 に保存中の画像フレームの索引情報として利用される。フレーム目次テーブルに格納（記録）される索引情報のエントリは、循環記録領域 30 に保存されるデータブロックと対応している。従って、索引情報エントリは、フレーム目次テーブルのメモリ領域に循環的に格納される。
【００２５】
ディスク書込みスレッド 24（ 24-1 〜 24-L ）の実体は、プログラム格納メモリ 11 に用意されたデータブロック処理用のプログラムであり、それぞれ書込み待ちブロックキュー 23 から制御ブロックを取り込み、その制御ブロックが示すチャネル番号とキャッシュ領域識別子に従って、ディスク書込みキャッシュ 22 から１つのデータブロックを読出し、上記制御ブロックが示すディスクアドレスに従って、ディスク装置 3 内の特定の循環記録領域の特定のブロック位置にデータブロックを書込む。ここで、L は L ≦ n の自然数である。
【００２６】
配信スレッド 25（ 25-1 〜 25-m ）の実体も、プログラム格納メモリ 11 に用意された送信データ処理用のプログラムであり、それぞれクライアント端末 6（ 6-1 〜 6-m ）からの画像フレーム配信要求に応答して、ディスク装置 3 からディスク読出しキャッシュ 26 へのパック単位またはブロック単位での画像データの読出し動作と、指定画像フレームの送信フレームバッファ 27（ 27-1 〜 27-m ）への転送動作を行う。送信フレームバッファ 27 に入力された画像フレームは、ネットワークインタフェース 14 を介して IP パケットに変換されてネットワークに送信される。
【００２７】
各クライアント端末 6（ 6-1 〜 6-m ）は、画像蓄積配信サーバ 1 に対して、チャネル番号とフレーム番号を指定して画像フレームの配信を要求する。配信スレッド 25 は、フレーム目次テーブル 19 を参照して、クライアント 6 からの要求画像フレームを含むブロックの番号とパック位置を特定し、アドレス変換テーブルから、チャネル番号とブロック番号に対応するディスクアドレスを特定する。画像データ読出しは、例えば、ディスクアドレスとパック位置に基づいて、あるいは、ディスクアドレスに基づいて行なわれる。
【００２８】
図４は、図１と同様の映像閲覧システムの構成を示すブロック図である。図４は図１と異なり、Web カメラ 5-1 〜 5-n を映像生成装置 202 と映像発信装置 203 とで構成し、クライアント端末 6-1 〜 6-m を映像受信装置 204 と映像受信装置 204 に付属する映像表示装置 205 とで表したものである。
図４において、ネットワーク 4 は、例えば、ネットワークケーブルや無線 LAN（ Local Area Network ）、公衆回線等であり、発信されたデータを伝送する役割を持つ。また、このネットワーク 4 には、ルータやハブ等のネットワーク機器を含むものである。映像発信装置 203 、映像受信装置 204 、及び蓄積配信サーバ 206 は、ネットワーク 4 に接続され、互いが通信できるように結合されている。
【００２９】
映像生成装置 202 は、例えば、カメラ等の撮像素子を持った映像生成装置であり、光を電気に変換して映像を生成する役割を持つ。映像発信装置 203 は、例えば、映像生成装置 202 からの映像を受け取るインタフェースと画像コーデック、ネットワークインタフェースを内蔵したエンコーダ装置であり、映像生成装置 202 からの出力される映像をネットワーク伝送に適した形に変換し、ネットワーク 4 に発信する役割を持つ。例えば、映像生成装置 202 から入力された映像がアナログ映像であった場合にはデジタル変換し、ネットワーク 4 の伝送帯域によっては、圧縮処理を施したりもする。
【００３０】
映像生成装置 202 と映像発信装置 203 は、例えば、図１に示した Web カメラ 5-1 〜 5-n のように、１つの装置として結合された形態でもよい。
映像受信装置 204 は、例えば、ネットワークインタフェースと画像コーデック、映像表示装置 205 に映像を出力するインタフェースを内蔵したデコーダ装置であり、ネットワーク 4 を介して伝送されてきた映像を受信し、映像表示装置 205 が表示可能な形に変換し出力する役割を持つ。例えば、映像表示装置 205 がテレビモニタであった場合には、アナログ変換を行う。また、受信した映像が圧縮映像であった場合には、画像コーデックを使って伸張処理を施したりもする。
【００３１】
映像表示装置 205 は、例えば、テレビモニタ、コンピュータの CRT（ Cathode−Ray Tube ）、液晶モニタといった表示素子を持った映像表示装置で、電気を光に変えて映像を表示する役割を持つ。
映像受信装置 204 と映像表示装置 205 は、１つの装置として結合された形態でもよい。例えば、テレビモニタに内蔵された形態、CRT を接続したコンピュータの形態、あるいは、表示装置を備えた携帯電話等の携帯端末の形態などが挙げられる。
また、映像受信装置 204 は、蓄積配信サーバ 3 に対し、再生や早送り等の再生指示を行う操作インタフェースを内蔵する。このインタフェースは、例えば、コンピュータ画面の GUI（ Graphical User Interface ）、あるいは、映像受信装置 204 に接続された制御盤端末でも良い。
【００３２】
蓄積配信サーバ 1 は、例えば、ネットワークインタフェースや、記録媒体へのインタフェースを内蔵したパソコンであり、映像発信装置 202 からネットワーク 4 を伝送されてきた映像を受信し、接続された記録媒体（ディスク装置 3 ）に映像を蓄積する役割と、映像受信装置 204 からの映像配信要求に応じ、記録媒体 3 から要求された映像を取出し、取出した映像をネットワーク 4 を介して映像受信装置 204 に配信する役割を持つ。
記録媒体 3 は、例えば、ハードディスクやディスクアレイといった映像を記録する媒体であり、蓄積配信サーバ 1 と、例えば、SCSI（ Small Computer System Interface ）や ATA（ AT Attachment ）、Fibre Channel といった専用のインタフェース、または、SAN（ Storage Area Network ）や NAS（ Network Attachment Storage ）といった IP ネットワークを用いたインタフェース等によって結合されている。
【００３３】
図４においては、映像生成装置 202 、映像発信装置 203 、映像受信装置 204 、映像表示装置 205 、記録媒体 3 は、それぞれ１個ずつしか記載しなかった。しかし、これらの機器は、蓄積配信サーバ 1 に対し、複数個が結合されても良い。
【００３４】
映像蓄積配信装置は、ネットワークに接続していること、映像を蓄積（記録）すること、蓄積した映像を所定のユーザに配信することが主な機能である。それらの機能を実現するためには、おかれた環境によって、映像蓄積配信装置に多くの設定を行なわなければならない。
例えば、以下のような設定項目が考えられる。
設定項目の一実施例を図５〜図１１及び図１８〜図２０によって説明する。図５〜図１１及び図１８〜図２０は、本発明の一実施例の映像表示装置 205 に表示する設定画面の一例を示す図である。
なお、設定は、例えば、映像受信装置 204 に備えられている入力装置（キーボード、マウス等のポインティングデバイス：図示しない）によって、表示画面上の所定の箇所へ GUI 操作によって行う。
【００３５】
映像蓄積配信装置（例えば、蓄積配信サーバ 1 ）は、ネットワークに接続しているので、ネットワーク上で装置を特定するための IP アドレスを設定しなければならない。例えば、図５に示すように、映像蓄積配信装置を使う上で基本となる装置の名称と IP アドレスの設定、及び、装置の IP アドレスが有効となるネットワーク範囲を定義するためのサブネット、ゲートウェイを設定する必要がある。
従って、例えば、名称、IP アドレス、サブネット、ゲートウェイの値を表示画面上の所定の場所に入力する。
【００３６】
次に、映像蓄積配信装置にアクセス可能なユーザを設定する必要がある。ネットワーク 4 を介して、映像蓄積配信装置が映像を配信する場合、監視映像は特にプライベートを侵害する等の理由から、映像を暗号化して許されたユーザしか見ることができないようにする方法もある。しかし、見ることのできるユーザを制限したり、録画する権限を持ったユーザを限定するという方法もある。従って例えば、本発明の一実施形態の映像蓄積配信装置の設定では、アクセスを許可するユーザを限定するといったことを行い、不正なアクセスを許さないような設定を行なう必要がある。
従って、例えば、図６に示すように、アクセスできるユーザを指定するための設定をするため、ユーザ名とそのユーザが正しいと認識させるためのパスワード値を表示画面上の所定の場所に入力する。
【００３７】
次に、映像配信元である映像生成装置 202（例えば、ネットワークカメラ）や映像発信装置 203（例えば、 WEB エンコーダ）の IP アドレスを映像蓄積配信装置に設定し、映像取得相手を認識する必要がある。
映像生成装置 202 及び映像発信装置 203 に対しては、それぞれ、記録する映像の画像サイズ、記録する映像のフレームレート、記録する映像の画質、アラームによる録画があるか、といった記録する際に必要なデータも設定する必要がある。
従って、例えば、図７に示すように、映像生成装置 202 のカメラ名、カメラの型式を決めるカメラタイプ、カメラの IP アドレス、アラームの有無を決めるアラームモード選択を設定する必要があるため、それぞれ表示画面上で設定値等を所定の場所に入力する。
【００３８】
次に、映像を記録するためには、映像蓄積配信装置に内蔵されている、例えばハードディスク等のディスク装置 3 のような記録媒体の容量を設定しなければならない。ディスク装置 3 は、映像生成装置１台に対して１つの大きなエリア（記録領域）を設定することも可能であるが、複数台の映像発信装置を結合するのであれば、ハードディスクを複数台分に分割してそれぞれの記録領域を指定して容量を設定する必要がある。
従って、例えば、図８に示すように、カメラ（映像生成装置）に対して、スケジュールによる録画する映像を記録する容量、アラーム時の映像を記録する容量を割当てするために、それぞれ表示画面上で設定値等を所定の場所に入力する。
なお、図１８は、スケジュール録画を行う場合の設定画面の一例を示す図である。
【００３９】
次に、ディスク装置 3 のような記録媒体へ映像を記録する時、ディスク装置 3 の資源には限度があるので、その容量がデータで一杯になった時に、記録を停止するか、または、容量が一杯になったら、過去の映像の画像データの記録領域に上書きして記録するか、ユーザが選択設定可能とし、ユーザの使い勝手が良いシステムにする必要がある。
従って、例えば、図９に示すように上書き録画をするかしないかをスケジュールによる録画の記録媒体、アラームによる記録媒体と別けて設定するために、それぞれ表示画面上で設定値等を所定の場所に入力する。
【００４０】
次に、映像蓄積配信装置に記録された映像をユーザに分かりやすく使いやすくするために、端末に表示する映像を１画面で大きく表示したり、４画面または９画面と複数画面表示したりする。複数画面表示するときには、監視しているエリア（監視視野領域）によっては、同じ表示画面上で表示したいといったユーザの要望が考えられる。その画面内に表示する映像のパターンを、見る前に設定するとそのようなユーザの要求に答えることができる。
設定方法としては、例えば、図１０に示すように、パターンを８種類（１：Pattern1 〜 ８：Pattern8 ）用意し、各パターンにおいてどの表示位置に何番のカメラ映像を表示するかといった設定をする。
【００４１】
次に、映像蓄積配信装置の録画（記録）には、事前に指定の日付で指定の時間を録画することを予約するスケジュール録画、アラーム時の映像を録画するアラーム録画、監視映像を見ながら録画開始、停止する手動録画と録画する方法といろいろな記録方法ある。そして、それぞれの記録方法について、その録画時の１秒あたりの録画枚数を決めるための録画レートを設定する必要がある。
従って、例えば、図１１に示すように、アラーム録画を設定する場合には、アラーム録画する映像生成装置を選択しその録画レートを設定するために、それぞれ表示画面上で設定値等を所定の場所に入力する。
また、例えば、手動録画の場合には、図１９に示すように、手動録画する場合のそれぞれの映像生成装置の録画レートを設定するために、それぞれ表示画面上で設定値等を所定の場所に入力する。
なお、映像蓄積配信装置の日付や時刻が実際の時刻と異なっている場合には、図２０に示すように、年月日時刻を設定または変更するための表示画面がある。
【００４２】
上記のように、設定する項目は数多くあり、最初にシステムを設置してから動作を始めるまでに多くの手間を要することになる。しかし、ユーザ側では、ネットワークやパソコンに慣れた人もいれば、初めて経験する人も多い。ネットワークやパソコンに慣れてない人から見れば、これだけの設定をするのは、苦痛なものになる。しかし、ネットワーク、パソコン、または、映像の記録といったものに慣れていない人でも、映像蓄積配信装置等を含むシステムを設置してから動作させる必要があるが、映像蓄積装置を設置したネットワーク環境や、ネットワークカメラの台数など、使用する環境は多種多様であり、動作させるためには、ある程度の設定は必要である。
そこで、本発明の別の実施形態として、上記のように細かく多くの設定を行なわなくても、必要最低限の動作はするような項目だけを設定する設定モード（以下、ビギナーモードと称する）を設けた。
【００４３】
本発明の実施形態のビギナーモードは、ユーザに対して順番に最低限設定する項目の画面を表示し、その表示された項目についてユーザが設定すると、その結果と装置のデフォルト設定から全項目の設定を行い、映像録画を可能とする設定方法である。
【００４４】
映像蓄積配信装置の設定をビギナーモードで設定する場合の一実施例を図１２によって説明する。図１２は、本発明の一実施例の処理動作例を示すフローチャートである。
図１２のステップ 1201 において、ビギナーモードでの設定を開始する。
次にステップ 1202 では、映像蓄積配信装置名の設定を行う。
次にステップ 1203 では、映像蓄積配信装置の IP アドレス設定を行う。
次にステップ 1204 では、接続するカメラ台数、アラーム録画を設定するか、録画レートの設定といったカメラ台数等の設定を行う。
次にステップ 1205 では、カメラの IP アドレス設定を行う。
次にステップ 1206 では、ビギナーモードでの設定を完了する。
【００４５】
図１２のフローチャートによって説明した設定項目は、例えば、ステップ 1202 での設定項目である映像蓄積配信装置名は、絶対入力しなければならない項目ではないかも知れない。しかし、パソコンへの入力などの初心者や慣れていない人でもとっつきやすい項目であり、初心者が設定操作に入り易いものなので、ここに取り上げた。
例えば、図１３に示すように、装置の名称だけを設定する項目を表示する。装置名を入力すると次に設定する画面を呼び出すため、GUI 操作で“次へ”のボタンを押下する。
【００４６】
次の画面は、映像蓄積配信装置の IP 設定画面である。
装置の IP 設定は、ネットワーク機器である以上、必要な設定項目であることから、この設定は欠かせないものとなる。例えば図１４に示すように、IP 設定画面では、装置の IP アドレスの設定、装置の IP アドレスが有効となるネットワーク範囲を定義するためのサブネット、ゲートウェイを設定する。
また、この画面に来てから装置の名称を変更したい場合には、GUI 操作で“戻る”のボタンを押下すれば、上記の名称設定画面に戻ることができる。
装置の IP 設定を行なった後は、次に設定する画面を呼び出すため、GUI 操作で“次へ”のボタンを押下する。図１４では、本設定までを一度完結するため、GUI 操作で“設定し次へ”というボタン名称となっている。
【００４７】
次の画面は、映像蓄積配信装置に録画する映像の配信元である映像生成装置または映像発信装置（カメラまたはエンコーダ）についての諸設定を行なう、カメラ台数等の設定画面である。ここでは、例えば、図１５に示すように、映像生成装置（カメラ）の台数の設定、アラーム発生時の映像を録画するか否かを定めるためのアラームモードの設定、及び、録画するときの１秒あたりの録画映像枚数（単位：fps ）を定めるための録画レートの設定、を行う。本設定が完了すると、次に設定する画面を呼び出すため、GUI 操作で“次へ”のボタンを押下する。
【００４８】
次の画面は、先に設定したカメラの IP 設定画面となる。カメラの IP 設定はネットワーク機器である以上、必要な設定項目であることから、この設定は欠かせないものとなる。例えば、図１６に示すように、設定したカメラ台数分、カメラの IP アドレスの設定する。本設定が完了すると、ビギナーモードの設定項目は全て完了したことになり、今まで設定した全項目を映像蓄積配信装置に反映するように、GUI 操作で“設定ボタン”を押下する。
【００４９】
各画面では、値を入力するための補助となる説明文を、画面に表示することにより、設定し易いものとする。また、設定ボタンを押下するまでは、前に設定した画面に戻り再設定を可能とする。
【００５０】
上記ビギナーモードで設定しない項目は、デフォルト値を設定しておき最低限使えるようにしておく。ユーザの使用権限は、設定管理を行なうユーザ名のみデフォルトで設定しておく。
ディスク装置のディスク容量は、登録されたカメラ台数から全ディスク装置の容量を例えば、均等割する。
ディスク装置への上書き設定は、常時録画で使用する場合がほとんどであることから、上書きすることをデフォルトとして設定する。
また、複数画面の表示パターンは、設定されたカメラ台数の順に、４画面ごと並べていく。
【００５１】
上記のようなビギナーモードの設定を行うことで、パソコンやネットワークをよく知らないユーザであっても、設定が簡単迅速で間違いを犯しにくい。また同時に、映像蓄積配信装置を販売する営業や保守を行なう人でも設定できることができるようになる。
【００５２】
なお、ビギナーモードと通常の設定モード（アドバンスモード）との切替は、予めシステムを納入する前に設定しておいてもよいし、例えば、図１７に示すような切替画面を用意し、システムの設定開始時に画面に表示するようにして、切替えるようにしても良い。
【００５３】
上述の実施例では、画像蓄積配信システムを映像閲覧システムの実施例として説明した。しかし、本発明の他の実施形態の映像閲覧方法及び映像閲覧装置においては、画像データが記録装置に格納される手段や経緯は特に問わない。映像閲覧に必要なパラメータ、例えば、タイムスタンプや撮像された画像データの区別（例えば、チャネル番号、撮影場所、カメラ番号、またはカメラ ID ）が同時に記録された記録装置であれば、本発明の映像閲覧方法及び映像閲覧装置に適用することができることは言うまでも無い。
また、本実施例では、JPEG 等の圧縮画像を用いているが、他の形式の圧縮方式や画像変換方式、または撮像された画像データそのものを記録していても良い。
【図面の簡単な説明】
【００５４】
【図１】本発明の一実施例の画像蓄積配信システムの構成を示す図。
【図２】本発明による画像蓄積配信サーバの一実施例を示すブロック構成図。
【図３】本発明の一実施例の画像蓄積配信サーバ１における画像データの書込みと読出しに関係する部分の機能ブロック図。
【図４】本発明の一実施例の画像蓄積配信システムの構成を示す図。
【図５】本発明の一実施例の映像表示装置に表示する設定画面の一例を示す図。
【図６】本発明の一実施例の映像表示装置に表示する設定画面の一例を示す図。
【図７】本発明の一実施例の映像表示装置に表示する設定画面の一例を示す図。
【図８】本発明の一実施例の映像表示装置に表示する設定画面の一例を示す図。
【図９】本発明の一実施例の映像表示装置に表示する設定画面の一例を示す図。
【図１０】本発明の一実施例の映像表示装置に表示する設定画面の一例を示す図。
【図１１】本発明の一実施例の映像表示装置に表示する設定画面の一例を示す図。
【図１２】本発明の一実施例の処理動作例を示すフローチャート。
【図１３】本発明の一実施例の映像表示装置に表示する設定画面の一例を示す図。
【図１４】本発明の一実施例の映像表示装置に表示する設定画面の一例を示す図。
【図１５】本発明の一実施例の映像表示装置に表示する設定画面の一例を示す図。
【図１６】本発明の一実施例の映像表示装置に表示する設定画面の一例を示す図。
【図１７】本発明の一実施例の映像表示装置に表示する設定画面の一例を示す図。
【図１８】本発明の一実施例の映像表示装置に表示する設定画面の一例を示す図。
【図１９】本発明の一実施例の映像表示装置に表示する設定画面の一例を示す図。
【図２０】本発明の一実施例の映像表示装置に表示する設定画面の一例を示す図。
【符号の説明】
【００５５】
1：画像蓄積配信サーバ、  3：ディスク装置、  4：ネットワーク、  5，5-1〜5-n：Web カメラ、  6，6-1〜6-m：クライアント端末、  10：プロセッサ、  11：プログラム格納メモリ、  12：テーブル格納メモリ、  13：データ格納メモリ、  14：ネットワークインタフェース、  15：ディスクインタフェース、  20，20-1〜20-n：受信フレームバッファ、  21，21-1〜21-n：受信スレッド、  22，22-1〜22-n：ディスク書込みキャッシュ、  23：ブロックキュー、  24，24-1〜24-L：ディスク書込みスレッド、  25，25-1〜25-m：配信スレッド、  26，26-1〜26-m：ディスク読出しキャッシュ、  27，27-1〜27-m：送信フレームバッファ、  30，30-1〜30-n：循環記録領域、  120：管理テーブル用メモリ領域、  121：アドレス変換テーブル、  1100：表示画面、  1101：映像表示部、  1102-1〜1102-4：画面、  1103：映像操作部、  1104：他情報表示部、  1106-1〜1106-4：時刻表示、  1107-1〜1107-4：カメラ番号、  1108-1〜1108-4：カメラ名称、  1201：画面切替部、  1202：映像操作部、  1203：同期／非同期切替部、  1204：同期モード切替部、  1720：データバス、  1721：一時記憶部、  1722：画像メモリ、  1723：ワークメモリ、  1724：プログラムメモリ、  1725：表示部、  1726：CPU 部、  1727：入力部、
【図１】
2005210435.tif 000003
【図２】
2005210435.tif 000004
【図３】
2005210435.tif 000005
【図４】
2005210435.tif 000006
【図５】
2005210435.tif 000007
【図６】
2005210435.tif 000008
【図７】
2005210435.tif 000009
【図８】
2005210435.tif 000010
【図９】
2005210435.tif 000011
【図１０】
2005210435.tif 000012
【図１１】
2005210435.tif 000013
【図１２】
2005210435.tif 000014
【図１３】
2005210435.tif 000015
【図１４】
2005210435.tif 000016
【図１５】
2005210435.tif 000017
【図１６】
2005210435.tif 000018
【図１７】
2005210435.tif 000019
【図１８】
2005210435.tif 000020
【図１９】
2005210435.tif 000021
【図２０】
2005210435.tif 000022